(57)【要約】【課題】供給電圧が異常である場合にも、異常電圧の電源が復号装置に供給され続けられることを抑制することが可能な放送受信装置を提供する。【解決手段】このＳＴＢ１（放送受信装置）は、放送受信部１１と、暗号化された放送を復号化するためのＰＣカード３と接続されるＰＣカードスロット１０と、ＳＴＢ１の制御を行う主制御部１５と、主制御部１５とは別個に設けられ、ＰＣカードスロット１０を介して行われるＰＣカード３への電源の供給と電源の遮断とを切り替える制御を行う補助制御部１７とを備える。補助制御部１７は、ＰＣカードスロット１０を介してＰＣカード３に供給される第１供給電圧Ｖｃｃの電源および第２供給電圧Ｖｐｐを監視するとともに、第１供給電圧Ｖｃｃの電源および第２供給電圧Ｖｐｐが異常電圧であると判断した場合に、ＰＣカード３への電源の遮断を行うように構成されている。【選択図】図４
2014103537.tif 000002
【特許請求の範囲】
【請求項１】
放送を受信するための放送受信部と、
暗号化された前記放送を復号化するための復号装置と接続される接続部と、
放送受信装置本体の制御を行う主制御部と、
前記主制御部とは別個に設けられ、前記接続部を介して行われる前記復号装置への電源の供給と電源の遮断とを切り替える制御を行う補助制御部とを備え、
前記補助制御部は、前記接続部を介して前記復号装置に供給される供給電圧を監視するとともに、前記供給電圧が異常電圧であると判断した場合に、前記復号装置への電源の遮断を行うように構成されている、放送受信装置。
【請求項２】
前記補助制御部は、前記供給電圧をデジタル信号に変換するための変換部を含み、
前記補助制御部は、前記変換部においてデジタル信号に変換された前記供給電圧の供給電圧情報を監視するように構成されている、請求項１に記載の放送受信装置。
【請求項３】
前記主制御部と前記復号装置とは、前記接続部を介して互いに通信可能に構成されており、
前記補助制御部は、前記供給電圧が前記異常電圧であると判断した場合に、前記供給電圧が前記異常電圧である旨を前記主制御部に通知し、その後、前記復号装置への電源の遮断を行うように構成されており、
前記主制御部は、前記供給電圧が前記異常電圧である旨の通知に基づいて、前記主制御部と前記復号装置との通信を安全に停止させるように構成されている、請求項１または２に記載の放送受信装置。
【請求項４】
前記異常電圧は、緊急異常電圧と非緊急異常電圧とを含み、
前記補助制御部は、前記供給電圧が前記緊急異常電圧であると判断した場合に、前記供給電圧が前記異常電圧である旨を前記主制御部に通知することなく、前記復号装置への電源の遮断を行い、前記供給電圧が前記非緊急異常電圧であると判断した場合に、前記供給電圧が前記異常電圧である旨を前記主制御部に通知し、その後、前記復号装置への電源の遮断を行うように構成されている、請求項３に記載の放送受信装置。
【請求項５】
前記補助制御部は、前記供給電圧が前記供給電圧の正常電圧を上回る電圧であった場合に、前記供給電圧が前記緊急異常電圧であると判断するように構成されている、請求項４に記載の放送受信装置。
【請求項６】
前記緊急異常電圧は、前記供給電圧の前記正常電圧を上回る電圧か、または、前記供給電圧の前記正常電圧よりも小さな下限電圧をさらに下回る電圧であり、
前記非緊急異常電圧は、前記下限電圧以上で、かつ、前記供給電圧の前記正常電圧を下回る電圧である、請求項５に記載の放送受信装置。
【請求項７】
前記主制御部は、前記主制御部と前記復号装置との通信を安全に停止させた後に、前記主制御部と前記復号装置との通信を安全に停止させた旨を前記補助制御部に通知するように構成されており、
前記補助制御部は、前記主制御部と前記復号装置との通信を安全に停止させた旨の通知に基づいて前記主制御部と前記復号装置との通信が安全に停止したことを確認した後に、前記復号装置への電源の遮断を行うように構成されている、請求項３〜６のいずれか１項に記載の放送受信装置。
【請求項８】
前記補助制御部は、前記供給電圧が前記異常電圧であり、かつ、前記主制御部が異常な状態であると判断した場合に、前記主制御部と前記復号装置との通信が安全に停止したことを確認することなく、前記復号装置への電源の遮断を行うように構成されている、請求項７に記載の放送受信装置。
【発明の詳細な説明】
【技術分野】
【０００１】
この発明は、放送受信装置に関し、特に、復号装置への電源の供給と電源の遮断とを切り替える補助制御部を備える放送受信装置に関する。
【背景技術】
【０００２】
従来、復号装置への電源の供給と電源の遮断とを切り替える補助制御部を備えるデータプロセッサが知られている（たとえば、特許文献１参照）。
【０００３】
上記特許文献１には、ＰＣカード（復号装置）が挿入されるカードスロットと、ＰＣカードに電源を供給する電源回路と、ＰＣカードから出力されるデータ信号を監視するカードコントローラ（補助制御部）とを備えるデータプロセッサが開示されている。このデータプロセッサでは、カードコントローラが、ＰＣカードから出力されるデータ信号が異常であると判断した場合に、電源回路を介してＰＣカードへの電源の供給を遮断するように構成されている。
【先行技術文献】
【特許文献】
【０００４】
【特許文献１】特開平１０−９７３５７号公報
【発明の概要】
【発明が解決しようとする課題】
【０００５】
しかしながら、上記特許文献１に記載されたデータプロセッサでは、ＰＣカードから出力されるデータ信号が異常である場合には、ＰＣカードへの電源の供給が遮断される一方、ＰＣカードに供給される電源の供給電圧が異常電圧であったとしても、異常電圧の電源がＰＣカードに供給され続けられる場合があるという問題点があると考えられる。
【０００６】
この発明は、上記のような課題を解決するためになされたものであり、この発明の１つの目的は、供給電圧が異常である場合にも、異常電圧の電源が復号装置に供給され続けられることを抑制することが可能な放送受信装置を提供することである。
【課題を解決するための手段】
【０００７】
この発明の一の局面による放送受信装置は、放送を受信するための放送受信部と、暗号化された放送を復号化するための復号装置と接続される接続部と、放送受信装置本体の制御を行う主制御部と、主制御部とは別個に設けられ、接続部を介して行われる復号装置への電源の供給と電源の遮断とを切り替える制御を行う補助制御部とを備え、補助制御部は、接続部を介して復号装置に供給される供給電圧を監視するとともに、供給電圧が異常電圧であると判断した場合に、復号装置への電源の遮断を行うように構成されている。
【０００８】
この発明の一の局面による放送受信装置では、上記のように、補助制御部が、接続部を介して復号装置に供給される供給電圧を監視するとともに、供給電圧が異常電圧であると判断した場合に、復号装置への電源の遮断を行うことによって、供給電圧が異常電圧である場合に復号装置への電源が遮断されるので、供給電圧が異常である場合にも、異常電圧の電源が復号装置に供給され続けられることを抑制することができる。
【０００９】
また、主制御部とは別個に設けられた補助制御部が供給電圧の監視と復号装置への電源の遮断との両方を行うことによって、放送受信装置本体の制御を行う主制御部が供給電圧の監視と復号装置への電源の遮断とを行う場合と異なり、主制御部が正常に駆動できない場合であっても、補助制御部により復号装置への電源の遮断を行うことができる。これにより、より確実に、復号装置への電源の遮断を行うことができる。また、補助制御部が供給電圧を監視するように構成することによって、補助制御部とは別個に供給電圧を監視する機器を設ける場合と異なり、構成を簡略化しながら、異常電圧の電源が復号装置に供給され続けられることを抑制することができる。
【００１０】
上記一の局面による放送受信装置において、好ましくは、補助制御部は、供給電圧をデジタル信号に変換するための変換部を含み、補助制御部は、変換部においてデジタル信号に変換された供給電圧の供給電圧情報を監視するように構成されている。このように構成すれば、補助制御部は、デジタル化された供給電圧情報に基づいて、容易に、供給電圧の供給電圧を監視することができる。
【００１１】
上記一の局面による放送受信装置において、好ましくは、主制御部と復号装置とは、接続部を介して互いに通信可能に構成されており、補助制御部は、供給電圧が異常電圧であると判断した場合に、供給電圧が異常電圧である旨を主制御部に通知し、その後、復号装置への電源の遮断を行うように構成されており、主制御部は、供給電圧が異常電圧である旨の通知に基づいて、主制御部と復号装置との通信を安全に停止させるように構成されている。このように構成すれば、復号装置への電源の遮断の際に、主制御部と復号装置との通信が安全に停止されていないことに起因して復号装置に記録されたデータが破壊されることを抑制しながら、電源を遮断することができる。
【００１２】
この場合、好ましくは、異常電圧は、緊急異常電圧と非緊急異常電圧とを含み、補助制御部は、供給電圧が緊急異常電圧であると判断した場合に、供給電圧が異常電圧である旨を主制御部に通知することなく、復号装置への電源の遮断を行い、供給電圧が非緊急異常電圧であると判断した場合に、供給電圧が異常電圧である旨を主制御部に通知し、その後、復号装置への電源の遮断を行うように構成されている。このように構成すれば、供給電圧が電源を遮断することに緊急性を有する緊急異常電圧である場合には、主制御部に異常電圧を通知することなく復号装置への電源の遮断が行われるので、緊急異常電圧の電源を迅速に遮断することができる。また、供給電圧の遮断に緊急性を有しない非緊急異常電圧である場合には、主制御部と復号装置との通信を安全に停止させることにより、復号装置への電源の遮断に起因して復号装置に記録されたデータが破壊されることを抑制しながら、電源を遮断することができる。
【００１３】
上記異常電圧が緊急異常電圧と非緊急異常電圧とを含む放送受信装置において、好ましくは、補助制御部は、供給電圧が供給電圧の正常電圧を上回る電圧であった場合に、供給電圧が緊急異常電圧であると判断するように構成されている。このように構成すれば、復号装置が正常に駆動しなくなる可能性が高いと考えられる正常電圧を上回る異常電圧（緊急異常電圧）の電源を迅速に遮断することができる。
【００１４】
上記正常電圧を上回る場合に緊急異常電圧であると判断する放送受信装置において、好ましくは、緊急異常電圧は、供給電圧の正常電圧を上回る電圧か、または、供給電圧の正常電圧よりも小さな下限電圧をさらに下回る電圧であり、非緊急異常電圧は、下限電圧以上で、かつ、供給電圧の正常電圧を下回る電圧である。このように構成すれば、供給電圧が、復号装置が正常に駆動しなくなる可能性が低いと考えられる、下限電圧以上で、かつ、供給電圧の正常電圧を下回る電圧（非緊急異常電圧）である場合に、復号装置に記録されたデータが破壊されることを抑制しながら、電源を遮断することができる。
【００１５】
上記異常電圧である旨を通知した後に電源の遮断を行う放送受信装置において、好ましくは、主制御部は、主制御部と復号装置との通信を安全に停止させた後に、主制御部と復号装置との通信を安全に停止させた旨を補助制御部に通知するように構成されており、補助制御部は、主制御部と復号装置との通信を安全に停止させた旨の通知に基づいて主制御部と復号装置との通信が安全に停止したことを確認した後に、復号装置への電源の遮断を行うように構成されている。このように構成すれば、復号装置への電源の遮断を行う際には主制御部と復号装置との通信が安全に停止されているので、復号装置への電源の遮断に起因して復号装置に記録されたデータが破壊されることを確実に防止しながら、電源を遮断することができる。
【００１６】
上記通信が安全に停止したことを確認した後に電源の遮断を行う放送受信装置において、好ましくは、補助制御部は、供給電圧が異常電圧であり、かつ、主制御部が異常な状態であると判断した場合に、主制御部と復号装置との通信が安全に停止したことを確認することなく、復号装置への電源の遮断を行うように構成されている。このように構成すれば、主制御部が異常な状態である場合でも、異常電圧が復号装置に供給され続けられることを補助制御部により確実に抑制することができる。
【発明の効果】
【００１７】
本発明によれば、上記のように、供給電圧が異常である場合にも、異常電圧の電源が復号装置に供給され続けられることを抑制することができる。
【図面の簡単な説明】
【００１８】
【図１】本発明の第１実施形態によるＳＴＢの構成を示したブロック図である。
【図２】本発明の第１実施形態によるＳＴＢの主要な構成を抜き出して示したブロック図である。
【図３】本発明の第１実施形態によるＰＣカード挿入時のＳＴＢのメインＣＰＵおよびサブＣＰＵの処理フローを示した図である。
【図４】本発明の第１実施形態による電圧監視時のＳＴＢのメインＣＰＵおよびサブＣＰＵの処理フローを示した図である。
【図５】本発明の第１実施形態による電圧監視時に表示装置に表示されるＯＳＤを示した図である。
【図６】本発明の第２実施形態によるメインＣＰＵの異常を監視するためのＳＴＢのメインＣＰＵおよびサブＣＰＵの処理フローを示した図である。
【図７】本発明の第２実施形態による電圧監視時のＳＴＢのメインＣＰＵおよびサブＣＰＵの処理フローを示した図である。
【図８】本発明の第３実施形態による電圧監視時のＳＴＢのメインＣＰＵおよびサブＣＰＵの処理フローを示した図である。
【図９】本発明の第３実施形態による電圧異常判断処理フローを示した図である。
【発明を実施するための形態】
【００１９】
以下、本発明の実施形態を図面に基づいて説明する。
【００２０】
（第１実施形態）
まず、図１および図２を参照して、本発明の第１実施形態によるＳＴＢ（セットトップボックス）１の構造について説明する。なお、ＳＴＢ１は、本発明の「放送受信装置」および「放送受信装置本体」の一例である。
【００２１】
本発明の第１実施形態によるＳＴＢ１は、図１に示すように、デジタル有線放送を受信して、テレビジョン装置などの表示装置２に映像および音声として出力する機能を有している。具体的には、ＳＴＢ１は、ＰＣカードスロット１０と、放送受信部１１と、復号部１２と、ＭＰＥＧ（Ｍｏｖｉｎｇ  Ｐｉｃｔｕｒｅ  Ｅｘｐｅｒｔｓ  Ｇｒｏｕｐ）２デコーダ１３と、出力部１４と、主制御部１５と、メモリ１６と、補助制御部１７と、電源スイッチ１８とを備えている。なお、ＰＣカードスロット１０は、本発明の「接続部」の一例である。
【００２２】
ＰＣカードスロット１０は、暗号化された有線放送を復号化するためのＰＣカード３が挿入可能に構成されている。また、ＰＣカードスロット１０は、図２に示すように、ＰＣカード３が挿入された際に、ＰＣカード３が挿入された旨のカード挿入通知を主制御部１５に送信するように構成されている。また、ＰＣカードスロット１０は、挿入されたＰＣカード３に対して第１供給電圧Ｖｃｃおよび第２供給電圧Ｖｐｐ（図２参照）の電源を供給可能に構成されている。なお、ＰＣカード３は、本発明の「復号装置」の一例である。
【００２３】
放送受信部１１は、図１に示すように、デジタル有線放送を受信して復調する機能を有しており、チューナ部１１ａと、復調部１１ｂと、ＴＳ（Ｔｒａｎｓｐｏｒｔ  Ｓｔｒｅａｍ）デマルチプレクサ１１ｃとを含んでいる。チューナ部１１ａは、デジタル有線放送の所定のチャンネルの放送を選局して受信する機能を有している。復調部１１ｂは、チューナ部１１ａにおいて受信したデジタル有線放送の放送情報を復調する機能を有している。また、復調部１１ｂは、放送情報が暗号化されている場合には、ＰＣカードスロット１０を介してＰＣカード３に放送情報を出力し、放送情報が暗号化されていない場合には、ＴＳデマルチプレクサ１１ｃに放送情報を出力するように構成されている。ＴＳデマルチプレクサ１１ｃは、復調部１１ｂによって復調された放送情報、または、復号部１２によって復号された放送情報を映像情報および音声情報に分離して出力する機能を有している。
【００２４】
復号部１２は、ＰＣカード３からの再暗号化された放送情報を復号して、ＴＳデマルチプレクサ１１ｃに出力するように構成されている。ＭＰＥＧ２デコーダ１３は、ＴＳデマルチプレクサ１１ｃにおいて分離された映像情報および音声情報を、それぞれ、圧縮前の映像情報および音声情報に復号する機能を有している。また、出力部１４は、ＭＰＥＧ２デコーダ１３において復号された映像情報および音声情報を、表示装置２に出力する機能を有している。表示装置２は、出力部１４から出力された映像を表示するための表示部２ａを有している。
【００２５】
主制御部１５は、メインＣＰＵ１５ａを含んでいる。メインＣＰＵ１５ａは、メモリ１６に記録されたプログラムを実行することによりＳＴＢ１全体の動作制御を担う。また、メインＣＰＵ１５ａは、表示装置２の表示部２ａに予め定められたＯＳＤ（Ｏｎ  Ｓｃｒｅｅｎ  Ｄｉｓｐｌａｙ）２ｂ（図５参照）を表示させる機能を有している。メモリ１６には、プログラムなどの種々の情報が記録されている。
【００２６】
主制御部１５とは別個に設けられた補助制御部１７は、サブＣＰＵ１７ａとＡ／Ｄポート１７ｂとを含んでいる。サブＣＰＵ１７ａは、メインＣＰＵ１５ａからの指示に従い、ＳＴＢ１全体の電源供給を制御する機能を有している。電源スイッチ１８は、サブＣＰＵ１７ａからの指示に従い、ＰＣカードスロット１０を介してＰＣカード３に電源を供給する機能を有している。なお、Ａ／Ｄポート１７ｂは、本発明の「変換部」の一例である。
【００２７】
また、Ａ／Ｄポート１７ｂは、電源スイッチ１８からＰＣカードスロット１０に供給される電源の供給電圧が入力されるように構成されている。このＡ／Ｄポート１７ｂは、入力される供給電圧をデジタル信号に変換する機能を有している。
【００２８】
また、図２に示すように、ＰＣカード３には、第１ラインＡおよび第２ラインＢの２系統から電源が供給されるように構成されている。具体的には、第１ラインＡから第１供給電圧Ｖｃｃの電源がＰＣカード３に供給されるとともに、第２ラインＢから第２供給電圧Ｖｐｐの電源がＰＣカード３に供給されるように構成されている。なお、第１供給電圧Ｖｃｃの基準電圧は、３．３Ｖであり、正常電圧は、３．０Ｖ以上３．６Ｖ以下の電圧である。つまり、第１供給電圧Ｖｃｃの異常電圧は、３．０Ｖ未満の電圧または３．６Ｖよりも大きな電圧である。また、第２供給電圧Ｖｐｐの基準電圧は、５．０Ｖであり、正常電圧は、４．５Ｖ以上５．５Ｖ以下の電圧である。つまり、第２供給電圧Ｖｐｐの異常電圧は、４．５Ｖ未満の電圧または５．５Ｖよりも大きな電圧である。
【００２９】
また、メインＣＰＵ１５ａとサブＣＰＵ１７ａとは、図示しないＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）または汎用出入力（ＧＰＩＯ）を介して接続されている。これにより、メインＣＰＵ１５ａとサブＣＰＵ１７ａとは、互いに信号の送受信を行うことが可能なように構成されている。
【００３０】
ＰＣカード３は、図１に示すように、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠したインターフェースであり、暗号化された有線放送を復号する機能を有している。また、ＰＣカード３は、ＣＰＵ３１と、メモリ３２と、復号部３３と、暗号化部３４とを備えている。
【００３１】
ＣＰＵ３１は、メモリ３２に記録されたプログラムを実行することによりＰＣカード３全体の動作制御を担う。また、ＣＰＵ３１は、ＰＣカードスロット１０を介してＳＴＢ１の主制御部１５との間で制御データを通信可能に接続されている。メモリ３２は、主制御部１５との制御データ（図２参照）の送受信に基づくデータやファームウェアなどの種々の情報が記録されている。復号部３３は、メモリ３２に記録されたファームウェアに基づいて、放送受信部１１の復調部１１ｂから受信した、暗号化されたデジタル有線放送の放送情報を復号化する機能を有している。暗号化部３４は、復号化した放送情報を再暗号化するとともに、再暗号化された放送情報を、ＰＣカードスロット１０を介してＳＴＢ１の復号部１２に出力する機能を有している。
【００３２】
ここで、第１実施形態では、補助制御部１７のサブＣＰＵ１７ａは、ＰＣカード３に供給されている第１供給電圧Ｖｃｃおよび第２供給電圧Ｖｐｐ（図２参照）を監視して、第１供給電圧Ｖｃｃおよび第２供給電圧Ｖｐｐが正常電圧かまたは異常電圧かを判断する。そして、第１供給電圧Ｖｃｃおよび第２供給電圧Ｖｐｐが異常電圧であると判断した場合に、電源スイッチ１８およびＰＣカードスロット１０を介してＰＣカード３へ供給されている第１供給電圧Ｖｃｃの電源および第２供給電圧Ｖｐｐの電源を遮断するように構成されている。なお、具体的な制御に関しては後述する。
【００３３】
次に、図１〜図３を参照して、ＰＣカード挿入時のメインＣＰＵ１５ａの制御処理フローおよびサブＣＰＵ１７ａの制御処理フローについて説明する。
【００３４】
まず、図３に示すように、ステップＳ１において、主制御部１５（図１参照）のメインＣＰＵ１５ａ（図１参照）により、ＰＣカードスロット１０（図１参照）にＰＣカード３（図１参照）が挿入された旨のカード挿入通知（図２参照）をＰＣカードスロット１０から受信したか否かが判断される。そして、カード挿入通知を受信したと判断されるまでこの判断が繰り返される。カード挿入通知を受信したと判断された場合には、ステップＳ２において、メインＣＰＵ１５ａにより、Ｖｃｃ＿ＯＮ信号およびＶｐｐ＿ＯＮ信号（図２参照）がＨｉｇｈ（Ｈレベル）にされて補助制御部１７（図１参照）のサブＣＰＵ１７ａ（図１参照）に送信される。そして、ＰＣカード挿入時におけるメインＣＰＵ１５ａの制御処理フローが終了される。
【００３５】
また、サブＣＰＵ１７ａでは、ステップＳ１１において、ＨｉｇｈにされたＶｃｃ＿ＯＮ信号およびＶｐｐ＿ＯＮ信号をメインＣＰＵ１５ａから受信したか否かが判断されるとともに、ＨｉｇｈにされたＶｃｃ＿ＯＮ信号およびＶｐｐ＿ＯＮ信号を受信したと判断されるまでこの判断が繰り返される。ＨｉｇｈにされたＶｃｃ＿ＯＮ信号およびＶｐｐ＿ＯＮ信号を受信したと判断された場合には、ステップＳ１２において、サブＣＰＵ１７ａにより、Ｖｃｃ＿ＯＮ＿ＳＵＢ信号およびＶｐｐ＿ＯＮ＿ＳＵＢ信号（図２参照）がＨｉｇｈにされて電源スイッチ１８（図２参照）に送信される。そして、ＰＣカード挿入時におけるサブＣＰＵ１７ａの制御処理フローが終了される。これにより、電源スイッチ１８により、ＨｉｇｈにされたＶｃｃ＿ＯＮ＿ＳＵＢ信号およびＶｐｐ＿ＯＮ＿ＳＵＢ信号に基づいて、ＰＣカードスロット１０を介して、ＰＣカード３への第１供給電圧Ｖｃｃおよび第２供給電圧Ｖｐｐ（図２参照）の供給が開始される。
【００３６】
次に、図１〜図５を参照して、電圧監視時におけるメインＣＰＵ１５ａの制御処理フローおよびサブＣＰＵ１７ａの制御処理フローについて説明する。
【００３７】
まず、図４に示すように、ステップＳ２１において、補助制御部１７（図１参照）のサブＣＰＵ１７ａ（図１参照）により、ＳＡＦＥＴＹ＿Ｖｃｃ信号およびＳＡＦＥＴＹ＿Ｖｐｐ信号（図２参照）が監視される。なお、ＳＡＦＥＴＹ＿Ｖｃｃ信号およびＳＡＦＥＴＹ＿Ｖｐｐ信号は、それぞれ、Ａ／Ｄポート１７ｂにおいて第１供給電圧Ｖｃｃおよび第２供給電圧Ｖｐｐ（図２参照）がデジタル信号に変換されたものである。そして、サブＣＰＵ１７ａにより、第１供給電圧Ｖｃｃおよび第２供給電圧Ｖｐｐの少なくとも一方が異常電圧であるか否かが判断されるとともに、第１供給電圧Ｖｃｃおよび第２供給電圧Ｖｐｐの少なくとも一方が異常電圧であると判断されるまでこの判断が繰り返される。なお、ＳＡＦＥＴＹ＿Ｖｃｃ信号およびＳＡＦＥＴＹ＿Ｖｐｐ信号は、本発明の「供給電圧情報」の一例である。
【００３８】
第１供給電圧Ｖｃｃおよび第２供給電圧Ｖｐｐの少なくとも一方が異常電圧であると判断された場合には、ステップＳ２２において、サブＣＰＵ１７ａにより、Ｖｃｃ＿ＯＮ＿ＳＵＢ信号およびＶｐｐ＿ＯＮ＿ＳＵＢ信号（図２参照）がＬｏｗ（Ｌレベル）にされて電源スイッチ１８（図２参照）に送信される。これにより、電源スイッチ１８により、ＬｏｗにされたＶｃｃ＿ＯＮ＿ＳＵＢ信号およびＶｐｐ＿ＯＮ＿ＳＵＢ信号に基づいて、ＰＣカード３へ供給されていた、第１供給電圧Ｖｃｃの電源および第２供給電圧Ｖｐｐの電源が遮断される。
【００３９】
その後、ステップＳ２３では、サブＣＰＵ１７ａにより、電圧異常通知が主制御部１５（図１参照）のメインＣＰＵ１５ａ（図１参照）に送信されて、電圧監視時におけるサブＣＰＵ１７ａの制御処理フローが終了される。
【００４０】
また、メインＣＰＵ１５ａでは、ステップＳ３１において、電圧異常通知をサブＣＰＵ１７ａから受信したか否かが判断されるとともに、電圧異常通知を受信したと判断されるまでこの判断が繰り返される。電圧異常通知を受信したと判断された場合には、ステップＳ３２において、メインＣＰＵ１５ａにより、表示装置２の表示部２ａに図５に示すようなＯＳＤ２ｂが表示される。そして、電圧監視時におけるメインＣＰＵ１５ａの制御処理フローが終了される。
【００４１】
なお、ＯＳＤ２ｂとして、図５に示すように、ＰＣカード３に供給される電源の供給電圧に異常が発生した旨と、問い合わせのためのサービスコールを行う指示とが表示部２ａに表示される。この結果、ＰＣカード３へ供給される電源の供給電圧の異常がユーザに通知されるとともに、ユーザがサービスコールすることにより、ＳＴＢ１の修理がなされる。
【００４２】
また、一度遮断された第１供給電圧Ｖｃｃの電源および第２供給電圧Ｖｐｐの電源は、ＳＴＢ１の修理がなされた後に再度ＰＣカード３に供給するように構成してもよいし、ＰＣカード３がＰＣカードスロット１０から抜去されて、改めてＰＣカード３がＰＣカードスロット１０に挿入された際に、再度ＰＣカード３に供給するように構成してもよい。
【００４３】
第１実施形態では、上記のように、補助制御部１７のサブＣＰＵ１７ａが、ＰＣカード３に供給されている第１供給電圧Ｖｃｃおよび第２供給電圧Ｖｐｐを監視して、第１供給電圧Ｖｃｃおよび第２供給電圧Ｖｐｐが正常電圧かまたは異常電圧かを判断する。そして、第１供給電圧Ｖｃｃおよび第２供給電圧Ｖｐｐの少なくともいずれか一方が異常電圧であると判断した場合に、サブＣＰＵ１７ａが、電源スイッチ１８およびＰＣカードスロット１０を介してＰＣカード３へ供給されている第１供給電圧Ｖｃｃの電源および第２供給電圧Ｖｐｐの電源を遮断する。これにより、第１供給電圧Ｖｃｃの電源および第２供給電圧Ｖｐｐが異常電圧である場合にＰＣカード３への電源が遮断されるので、第１供給電圧Ｖｃｃの電源および第２供給電圧Ｖｐｐが異常である場合にも、異常電圧の電源がＰＣカード３に供給され続けられることを抑制することができる。この結果、異常電圧が印加されたことに起因してＰＣカード３が正常に駆動しなくなることを抑制することができる。
【００４４】
また、第１実施形態では、主制御部１５とは別個に設けられた補助制御部１７のサブＣＰＵ１７ａが第１供給電圧Ｖｃｃおよび第２供給電圧Ｖｐｐの監視とＰＣカード３への電源の遮断との両方を行うことによって、ＳＴＢ１の制御を行う主制御部１５のメインＣＰＵ１５ａが第１供給電圧Ｖｃｃおよび第２供給電圧Ｖｐｐの監視とＰＣカード３への電源の遮断とを行う場合と異なり、メインＣＰＵ１５ａが正常に駆動できない場合であっても、サブＣＰＵ１７ａによりＰＣカード３への電源の遮断を行うことができる。これにより、より確実に、ＰＣカード３への電源の遮断を行うことができる。
【００４５】
また、第１実施形態では、サブＣＰＵ１７ａが第１供給電圧Ｖｃｃおよび第２供給電圧Ｖｐｐを監視するように構成することによって、サブＣＰＵ１７ａとは別個に供給電圧を監視する機器を設ける場合と異なり、構成を簡略化しながら、異常電圧の電源がＰＣカード３に供給され続けられることを抑制することができる。
【００４６】
また、第１実施形態では、サブＣＰＵ１７ａが、Ａ／Ｄポート１７ｂにおいて第１供給電圧Ｖｃｃおよび第２供給電圧Ｖｐｐがデジタル信号にそれぞれ変換された、ＳＡＦＥＴＹ＿Ｖｃｃ信号およびＳＡＦＥＴＹ＿Ｖｐｐ信号を監視する。これにより、サブＣＰＵ１７ａは、デジタル化されたＳＡＦＥＴＹ＿Ｖｃｃ信号およびＳＡＦＥＴＹ＿Ｖｐｐ信号に基づいて、容易に、第１供給電圧Ｖｃｃおよび第２供給電圧Ｖｐｐを監視することができる。
【００４７】
（第２実施形態）
次に、図１〜図３および図５〜図７を参照して、本発明の第２実施形態について説明する。この第２実施形態では、上記第１実施形態とは異なり、主制御部１５のメインＣＰＵ１５ａの異常の有無を補助制御部１７のサブＣＰＵ１７ａが監視するとともに、メインＣＰＵ１５ａとＰＣカード３との通信が安全に停止された後に、ＰＣカード３への電源が遮断される場合について説明する。
【００４８】
なお、第２実施形態におけるＳＴＢ１の構成およびＰＣカード挿入時の制御処理フローは、それぞれ、第１実施形態のＳＴＢ１の構成およびＰＣカード挿入時の制御処理フロー（図３参照）と同様である。
【００４９】
まず、図１、図２、図６および図７を参照して、メインＣＰＵ監視時におけるメインＣＰＵ１５ａの制御処理フローおよびサブＣＰＵ１７ａの制御処理フローについて説明する。
【００５０】
まず、図６に示すように、ステップＳ４１において、補助制御部１７（図１参照）のサブＣＰＵ１７ａ（図１参照）により、前回の監視信号送信時から所定時間が経過したか否かが判断されるとともに、所定時間が経過したと判断されるまでこの判断が繰り返される。所定時間が経過したと判断された場合には、ステップＳ４２において、サブＣＰＵ１７ａにより、監視信号が主制御部１５（図１参照）のメインＣＰＵ１５ａ（図１参照）に送信される。なお、メインＣＰＵ１５ａは、サブＣＰＵ１７ａから監視信号を受信した際に、監視信号の所定のビットを変化させることにより正常応答信号を作成して、正常応答信号をサブＣＰＵ１７ａに送信するように予め設定されている。
【００５１】
そして、メインＣＰＵ１５ａでは、ステップＳ５１において、監視信号をサブＣＰＵ１７ａから受信したか否かが判断されるとともに、監視信号を受信したと判断されるまでこの判断が繰り返される。監視信号を受信したと判断された場合には、ステップＳ５２において、メインＣＰＵ１５ａにより、正常応答信号が作成されて、サブＣＰＵ１７ａに送信される。そして、ステップＳ５１に戻る。
【００５２】
また、サブＣＰＵ１７ａでは、ステップＳ４３において、正常応答信号をメインＣＰＵ１５ａから受信したか否かが判断される。正常応答信号を受信したと判断された場合には、ステップＳ４１に戻る。
【００５３】
一方、メインＣＰＵ１５ａから受信した監視信号が正常応答信号として正しく作成されていない場合や、メインＣＰＵ１５ａからの応答がない場合に、ステップＳ４３において、正常応答信号を受信していないと判断される。そして、正常応答信号を受信していないと判断された場合には、ステップＳ４４において、サブＣＰＵ１７ａにより、メインＣＰＵ１５ａが異常であると判断される。これにより、後述する電圧監視時におけるサブＣＰＵ１７ａの制御処理フローのステップＳ６４（図７参照）において、メインＣＰＵ１５ａの異常を検知した（Ｙｅｓ）と判断される。そして、ステップＳ４１に戻る。
【００５４】
次に、図１、図２および図５〜図７を参照して、電圧監視時におけるメインＣＰＵ１５ａの制御処理フローおよびサブＣＰＵ１７ａの制御処理フローについて説明する。
【００５５】
まず、図７に示すように、ステップＳ６１において、補助制御部１７（図１参照）のサブＣＰＵ１７ａ（図１参照）により、第１供給電圧Ｖｃｃおよび第２供給電圧Ｖｐｐ（図２参照）の少なくとも一方が異常電圧であるか否かが判断される。そして、第１供給電圧Ｖｃｃおよび第２供給電圧Ｖｐｐの少なくとも一方が異常電圧であると判断されるまでこの判断が繰り返される。第１供給電圧Ｖｃｃおよび第２供給電圧Ｖｐｐの少なくとも一方が異常電圧であると判断された場合には、ステップＳ６２において、サブＣＰＵ１７ａにより、電圧異常通知（図２参照）が主制御部１５（図１参照）のメインＣＰＵ１５ａ（図１参照）に送信される。
【００５６】
また、メインＣＰＵ１５ａでは、ステップＳ７１において、電圧異常通知をサブＣＰＵ１７ａから受信したか否かが判断されるとともに、電圧異常通知を受信したと判断されるまでこの判断が繰り返される。電圧異常通知を受信したと判断された場合には、ステップＳ７２において、メインＣＰＵ１５ａにより、メインＣＰＵ１５ａとＰＣカード３（図１参照）との制御データ（図２参照）の通信が安全に停止される。
【００５７】
なお、メインＣＰＵ１５ａとＰＣカード３との通信が安全に停止されるとは、メインＣＰＵ１５ａとＰＣカード３との間で通信が停止可能な状態になるまで制御データが送受信された後に、メインＣＰＵ１５ａからＰＣカード３に制御データの送受信を停止する旨の通知が送信される。その後、ＰＣカード３から送信される応答通知に基づいて、メインＣＰＵ１５ａとＰＣカード３との通信が停止されることを意味している。
【００５８】
そして、ステップＳ７３において、メインＣＰＵ１５ａにより、メインＣＰＵ１５ａとＰＣカード３との通信が安全に停止された旨の通信停止通知がサブＣＰＵ１７ａに送信される。最後に、ステップＳ７４において、メインＣＰＵ１５ａにより、表示装置２の表示部２ａに図５に示すようなＯＳＤ２ｂが表示される。そして、電圧監視時におけるメインＣＰＵ１５ａの制御処理フローが終了される。
【００５９】
また、サブＣＰＵ１７ａでは、ステップＳ６３において、通信停止通知をメインＣＰＵ１５ａから受信したか否かが判断される。通信停止通知を受信していないと判断された場合には、ステップＳ６４において、サブＣＰＵ１７ａにより、メインＣＰＵ監視時における制御処理フロー（図６参照）においてメインＣＰＵ１５ａの異常を検知したか否かが判断される。メインＣＰＵ１５ａの異常を検知していないと判断された場合には、ステップＳ６３に戻り、再度、通信停止通知を受信したか否かが判断される。
【００６０】
また、ステップＳ６３において、通信停止通知を受信したと判断された場合、および、ステップＳ６４において、メインＣＰＵ１５ａの異常を検知したと判断された場合には、ステップＳ６５において、サブＣＰＵ１７ａにより、Ｖｃｃ＿ＯＮ＿ＳＵＢ信号およびＶｐｐ＿ＯＮ＿ＳＵＢ信号（図２参照）がＬｏｗ（Ｌレベル）にされて電源スイッチ１８（図２参照）に送信される。そして、電圧監視時におけるサブＣＰＵ１７ａの制御処理フローが終了される。これにより、第１供給電圧Ｖｃｃの電源および第２供給電圧Ｖｐｐ（図２参照）の電源が遮断される。
【００６１】
つまり、サブＣＰＵ１７ａが通信停止通知を受信した場合には、メインＣＰＵ１５ａとＰＣカード３との通信が安全に停止されたことが確認された状態で、第１供給電圧Ｖｃｃの電源および第２供給電圧Ｖｐｐの電源が遮断される。一方、メインＣＰＵ１５ａの異常を検知した場合には、メインＣＰＵ１５ａとＰＣカード３との通信が安全に停止されたことが確認されることなく、第１供給電圧Ｖｃｃの電源および第２供給電圧Ｖｐｐの電源が遮断される。
【００６２】
第２実施形態では、上記のように、補助制御部１７のサブＣＰＵ１７ａが、第１供給電圧Ｖｃｃおよび第２供給電圧Ｖｐｐを監視して、第１供給電圧Ｖｃｃおよび第２供給電圧Ｖｐｐの少なくともいずれか一方が異常電圧であると判断した場合に、第１供給電圧Ｖｃｃの電源および第２供給電圧Ｖｐｐの電源を遮断する。これにより、異常電圧の電源がＰＣカード３に供給され続けられることを抑制することができる。
【００６３】
また、第２実施形態では、サブＣＰＵ１７ａが、第１供給電圧Ｖｃｃおよび第２供給電圧Ｖｐｐの少なくとも一方が異常電圧であると判断された場合に、電圧異常通知をメインＣＰＵ１５ａに送信する。そして、主制御部１５のメインＣＰＵ１５ａが、電圧異常通知に基づいて、メインＣＰＵ１５ａとＰＣカード３との通信を安全に停止させて、通信停止通知がサブＣＰＵ１７ａに送信される。その後、サブＣＰＵ１７ａが、ＬｏｗにされたＶｃｃ＿ＯＮ＿ＳＵＢ信号およびＶｐｐ＿ＯＮ＿ＳＵＢ信号を電源スイッチ１８に送信して、第１供給電圧Ｖｃｃの電源および第２供給電圧Ｖｐｐの電源を遮断させる。これにより、ＰＣカード３への電源の遮断を行う際には主制御部１５とＰＣカード３との通信が安全に停止されているので、ＰＣカード３への電源の遮断に起因してＰＣカード３のメモリ３２に記録されたデータが破壊されることを確実に防止しながら、電源を遮断することができる。
【００６４】
また、第２実施形態では、サブＣＰＵ１７ａは、メインＣＰＵ１５ａの異常を検知したと判断した場合に、メインＣＰＵ１５ａとＰＣカード３との通信が安全に停止されたことを確認せずに、第１供給電圧Ｖｃｃの電源および第２供給電圧Ｖｐｐの電源を遮断させる。これにより、メインＣＰＵ１５ａが異常な状態である場合でも、異常電圧の電源がＰＣカード３に供給され続けられることをサブＣＰＵ１７ａにより確実に抑制することができる。なお、第２実施形態のその他の効果は、上記第１実施形態と同様である。
【００６５】
（第３実施形態）
次に、図１〜図３、図５、図６、図８および図９を参照して、本発明の第３実施形態について説明する。この第３実施形態では、上記第２実施形態とは異なり、供給電圧の大きさに応じて、直ちに電源遮断の状態か、通信を停止した後に電源遮断可能な状態か、または、正常な状態かを判断する場合について説明する。
【００６６】
なお、第３実施形態におけるＳＴＢ１の構成およびＰＣカード挿入時の制御処理フローは、それぞれ、第１実施形態のＳＴＢ１の構成およびＰＣカード挿入時の制御処理フロー（図３参照）と同様である。また、第３実施形態におけるメインＣＰＵ監視時の制御処理フローは、第２実施形態のメインＣＰＵ監視時の制御処理フロー（図６参照）と同様である。
【００６７】
第３実施形態における電圧監視時における制御処理フローでは、図８に示すように、ステップＳ８１において、補助制御部１７（図１参照）のサブＣＰＵ１７ａ（図１参照）により、図９に示す電圧異常判断処理が行われる。
【００６８】
この電圧異常判断処理では、第１供給電圧Ｖｃｃおよび第２供給電圧Ｖｐｐが、それぞれ、正常電圧か、非緊急異常電圧か、または、緊急異常電圧かが判断される。なお、第１供給電圧Ｖｃｃの正常電圧は３．０Ｖ（＝Ｖ２）以上３．６Ｖ（＝Ｖ１）以下の電圧であり、非緊急異常電圧は２．８Ｖ（＝Ｖ３）以上３．０Ｖ（＝Ｖ２）未満の電圧であり、緊急異常電圧は２．８Ｖ（＝Ｖ３）未満か、または、３．６Ｖ（＝Ｖ１）よりも大きな電圧である。また、第２供給電圧Ｖｐｐの正常電圧は４．５Ｖ（＝Ｖ５）以上５．５Ｖ（＝Ｖ４）以下の電圧であり、非緊急異常電圧は２．８Ｖ（＝Ｖ６）以上４．５Ｖ（＝Ｖ５）未満の電圧であり、緊急異常電圧は２．８Ｖ（＝Ｖ６）未満か、または、５．５Ｖ（＝Ｖ４）よりも大きな電圧である。なお、Ｖ３およびＶ６は、本発明の「下限電圧」の一例である。
【００６９】
具体的には、図９に示すように、ステップＳ８１ａにおいて、サブＣＰＵ１７ａにより、第１供給電圧Ｖｃｃが正常電圧の上限値Ｖ１（＝３．６Ｖ）よりも大きいか否かが判断される。第１供給電圧ＶｃｃがＶ１よりも大きい緊急異常電圧であると判断された場合には、ステップＳ８１ｂにおいて、サブＣＰＵ１７ａにより、直ちに電源遮断の状態であると判断される。
【００７０】
ステップＳ８１ａにおいて、第１供給電圧ＶｃｃがＶ１以下であると判断された場合には、ステップＳ８１ｃにおいて、サブＣＰＵ１７ａにより、第１供給電圧Ｖｃｃが正常電圧の下限値Ｖ２（＝３．０Ｖ）未満であるか否かが判断される。第１供給電圧ＶｃｃがＶ２未満であると判断された場合には、ステップＳ８１ｄにおいて、第１供給電圧Ｖｃｃが非緊急異常電圧の下限値Ｖ３（＝２．８Ｖ）未満であるか否かが判断される。第１供給電圧ＶｃｃがＶ３未満の緊急異常電圧であると判断された場合には、ステップＳ８１ｂに進み、直ちに電源遮断の状態であると判断される。
【００７１】
一方、ステップＳ８１ｄにおいて、第１供給電圧ＶｃｃがＶ３以上であると判断された場合には、サブＣＰＵ１７ａにより、第１供給電圧Ｖｃｃが非緊急異常電圧であると判断される。その後、第２供給電圧Ｖｐｐが緊急異常電圧であるか否かが判断される。具体的には、ステップＳ８１ｅにおいて、サブＣＰＵ１７ａにより、第２供給電圧Ｖｐｐが正常電圧の上限値Ｖ４（＝５．５Ｖ）より大きいか否かが判断されるとともに、ステップＳ８１ｆにおいて、第２供給電圧Ｖｐｐが非緊急異常電圧の下限値Ｖ６（＝２．８Ｖ）未満であるか否かが判断される。
【００７２】
第２供給電圧ＶｐｐがＶ４より大きい、または、Ｖ６未満であると判断された場合には、第２供給電圧Ｖｐｐが緊急異常電圧であると判断されて、ステップＳ８１ｂに進み、直ちに電源遮断の状態であると判断される。一方、第２供給電圧ＶｐｐがＶ６以上Ｖ４以下であると判断された場合には、第２供給電圧Ｖｐｐは少なくとも緊急異常電圧ではない（非緊急異常電圧または正常電圧である）と判断されて、ステップＳ８１ｇに進み、通信を停止した後に電源遮断可能な状態であると判断される。
【００７３】
また、ステップＳ８１ｃにおいて、第１供給電圧ＶｃｃがＶ２以上であると判断された場合には、サブＣＰＵ１７ａにより、第１供給電圧Ｖｃｃが正常電圧であると判断される。その後、第２供給電圧Ｖｐｐの状態が判断される。具体的には、ステップＳ８１ｈにおいて、サブＣＰＵ１７ａにより、第２供給電圧Ｖｐｐが正常電圧の上限値Ｖ４（＝５．５Ｖ）より大きいか否かが判断される。第２供給電圧ＶｐｐがＶ４より大きいと判断された場合には、ステップＳ８１ｂに進み、直ちに電源遮断の状態であると判断される。
【００７４】
ステップＳ８１ｈにおいて、第２供給電圧ＶｐｐがＶ４以下であると判断された場合には、ステップＳ８１ｉにおいて、サブＣＰＵ１７ａにより、第２供給電圧Ｖｐｐが正常電圧の下限値Ｖ５（＝３．０Ｖ）未満であるか否かが判断される。第２供給電圧ＶｐｐがＶ５未満であると判断された場合には、ステップＳ８１ｊにおいて、サブＣＰＵ１７ａにより、第２供給電圧Ｖｐｐが非緊急異常電圧の下限値Ｖ６（＝２．８Ｖ）未満であるか否かが判断される。
【００７５】
第２供給電圧ＶｐｐがＶ６未満の緊急異常電圧であると判断された場合には、ステップＳ８１ｂに進み、直ちに電源遮断の状態であると判断される。一方、第２供給電圧ＶｐｐがＶ６以上であると判断された場合には、第２供給電圧Ｖｐｐが非緊急異常電圧であると判断されて、ステップＳ８１ｇに進み、通信を停止した後に電源遮断可能な状態であると判断される。
【００７６】
また、ステップＳ８１ｉにおいて、第２供給電圧ＶｐｐがＶ５以上であると判断された場合には、第１供給電圧Ｖｃｃおよび第２供給電圧Ｖｐｐのいずれも正常電圧であると判断されて、ステップＳ８１ｋに進み、正常な状態であると判断される。
【００７７】
その後、図８に示すように、ステップＳ８２において、サブＣＰＵ１７ａにより、電圧異常判断処理において、直ちに電源遮断の状態であると判断されたか否かが判断される。直ちに電源遮断の状態であると判断された場合には、ステップＳ８３において、サブＣＰＵ１７ａにより、主制御部１５（図１参照）のメインＣＰＵ１５ａ（図１参照）に異常電圧を通知することなく、Ｖｃｃ＿ＯＮ＿ＳＵＢ信号およびＶｐｐ＿ＯＮ＿ＳＵＢ信号（図２参照）がＬｏｗ（Ｌレベル）にされて電源スイッチ１８（図２参照）に送信される。これにより、第１供給電圧Ｖｃｃの電源および第２供給電圧Ｖｐｐの電源が遮断される。この結果、通信が安全に停止したことを確認することなく、第１供給電圧Ｖｃｃの電源および第２供給電圧Ｖｐｐの電源が遮断される。
【００７８】
その後、ステップＳ８４では、サブＣＰＵ１７ａにより、第１電圧異常通知がメインＣＰＵ１５ａに送信されて、電圧監視時におけるサブＣＰＵ１７ａの制御処理フローが終了される。
【００７９】
また、メインＣＰＵ１５ａでは、ステップＳ９１において、第１電圧異常通知をサブＣＰＵ１７ａから受信したか否かが判断される。第１電圧異常通知を受信したと判断された場合には、ステップＳ９５において、メインＣＰＵ１５ａにより、表示装置２の表示部２ａに図５に示すようなＯＳＤ２ｂが表示される。そして、電圧監視時におけるメインＣＰＵ１５ａの制御処理フローが終了される。
【００８０】
また、サブＣＰＵ１７ａでは、ステップＳ８２において、直ちに電源遮断の状態でないと判断された場合には、ステップＳ８５において、通信を停止した後に電源遮断可能な状態であると判断されたか否かが判断される。通信を停止した後に電源遮断可能な状態であると判断された場合には、ステップＳ８６において、サブＣＰＵ１７ａにより、第２電圧異常通知がメインＣＰＵ１５ａに送信される。
【００８１】
また、メインＣＰＵ１５ａでは、ステップＳ９１において、第１電圧異常通知をサブＣＰＵ１７ａから受信していないと判断された場合には、ステップＳ９２において、第２電圧異常通知をサブＣＰＵ１７ａから受信したか否かが判断される。第１電圧異常通知および第２電圧異常通知のいずれも受信していないと判断された場合には、ステップＳ９１に戻る。第２電圧異常通知を受信したと判断された場合には、ステップＳ９３において、メインＣＰＵ１５ａにより、メインＣＰＵ１５ａとＰＣカード３（図１参照）との通信が安全に停止される。
【００８２】
そして、ステップＳ９４において、メインＣＰＵ１５ａにより、通信停止通知がサブＣＰＵ１７ａに送信される。最後に、ステップＳ９５において、メインＣＰＵ１５ａにより、表示装置２の表示部２ａにＯＳＤ２ｂが表示される。そして、電圧監視時におけるメインＣＰＵ１５ａの制御処理フローが終了される。
【００８３】
また、サブＣＰＵ１７ａでは、ステップＳ８７において、通信停止通知をメインＣＰＵ１５ａから受信したか否かが判断される。通信停止通知を受信していないと判断された場合には、ステップＳ８８において、メインＣＰＵ監視時における制御処理フロー（図６参照）においてメインＣＰＵ１５ａの異常を検知したか否かが判断される。メインＣＰＵ１５ａの異常を検知していないと判断された場合には、ステップＳ８７に戻る。
【００８４】
また、ステップＳ８７において、通信停止通知を受信したと判断された場合、および、ステップＳ８８において、メインＣＰＵ１５ａの異常を検知したと判断された場合には、ステップＳ８９において、サブＣＰＵ１７ａにより、Ｖｃｃ＿ＯＮ＿ＳＵＢ信号およびＶｐｐ＿ＯＮ＿ＳＵＢ信号がＬｏｗ（Ｌレベル）にされて電源スイッチ１８に送信される。そして、電圧監視時におけるサブＣＰＵ１７ａの制御処理フローが終了される。これにより、第１供給電圧Ｖｃｃの電源および第２供給電圧Ｖｐｐの電源が遮断される。
【００８５】
第３実施形態では、上記のように、補助制御部１７のサブＣＰＵ１７ａが、第１供給電圧Ｖｃｃおよび第２供給電圧Ｖｐｐを監視して、第１供給電圧Ｖｃｃおよび第２供給電圧Ｖｐｐの少なくともいずれか一方が異常電圧であると判断した場合に、第１供給電圧Ｖｃｃの電源および第２供給電圧Ｖｐｐの電源を遮断する。これにより、異常電圧の電源がＰＣカード３に供給され続けられることを抑制することができる。
【００８６】
また、第３実施形態では、直ちに電源遮断の状態であると判断された場合には、サブＣＰＵ１７ａが、主制御部１５のメインＣＰＵ１５ａに異常電圧を通知することなく、ＬｏｗにされたＶｃｃ＿ＯＮ＿ＳＵＢ信号およびＶｐｐ＿ＯＮ＿ＳＵＢ信号を電源スイッチ１８に送信して、第１供給電圧Ｖｃｃの電源および第２供給電圧Ｖｐｐの電源を遮断させる。これにより、直ちに電源遮断の状態の場合に、メインＣＰＵ１５ａに異常電圧を通知することなくＰＣカード３への電源の遮断が行われるので、緊急異常電圧の電源を迅速に遮断することができる。
【００８７】
また、第３実施形態では、通信を停止した後に電源遮断可能な状態であると判断された場合には、サブＣＰＵ１７ａが、第２電圧異常通知をメインＣＰＵ１５ａに送信する。そして、メインＣＰＵ１５ａが、第２電圧異常通知に基づいて、メインＣＰＵ１５ａとＰＣカード３との通信を安全に停止させて、通信停止通知をサブＣＰＵ１７ａに送信する。その後、サブＣＰＵ１７ａが、ＬｏｗにされたＶｃｃ＿ＯＮ＿ＳＵＢ信号およびＶｐｐ＿ＯＮ＿ＳＵＢ信号を電源スイッチ１８に送信して、第１供給電圧Ｖｃｃの電源および第２供給電圧Ｖｐｐの電源を遮断させる。これにより、第１供給電圧Ｖｃｃの電源および第２供給電圧Ｖｐｐの遮断に緊急性を有しない状態である場合に、主制御部１５とＰＣカード３との通信を安全に停止させることにより、ＰＣカード３への電源の遮断に起因してＰＣカード３のメモリ３２に記録されたデータが破壊されることを抑制しながら、電源を遮断することができる。
【００８８】
また、第３実施形態では、サブＣＰＵ１７ａが、第１供給電圧Ｖｃｃが正常電圧の上限値Ｖ１よりも大きい緊急異常電圧であると判断された場合、および、第２供給電圧Ｖｐｐが正常電圧の上限値Ｖ４よりも大きい緊急異常電圧であると判断された場合に、直ちに電源遮断の状態であると判断する。これにより、ＰＣカード３が正常に駆動しなくなる可能性が高いと考えられる正常電圧を上回る異常電圧（緊急異常電圧）の電源を迅速に遮断することができる。
【００８９】
また、第３実施形態では、サブＣＰＵ１７ａが、第１供給電圧Ｖｃｃが正常電圧の下限値Ｖ２未満で、かつ、非緊急異常電圧の下限値Ｖ３以上であると判断された場合に、第１供給電圧Ｖｃｃが非緊急異常電圧であると判断する。また、サブＣＰＵ１７ａが、第２供給電圧Ｖｐｐが正常電圧の下限値Ｖ５未満で、かつ、非緊急異常電圧の下限値Ｖ６以上であると判断された場合に、第２供給電圧Ｖｐｐが非緊急異常電圧であると判断する。そして、第１供給電圧Ｖｃｃおよび第２供給電圧Ｖｐｐが共に緊急異常電圧でなく、かつ、第１供給電圧Ｖｃｃおよび第２供給電圧Ｖｐｐの少なくともいずれか一方が非緊急異常電圧である場合に、サブＣＰＵ１７ａが、通信を停止した後に電源遮断可能な状態であると判断する。これにより、ＰＣカード３への電源の遮断に起因してＰＣカード３のメモリ３２に記録されたデータが破壊されることを抑制しながら、電源を遮断することができる。なお、第３実施形態のその他の効果は、上記第２実施形態と同様である。
【００９０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９１】
たとえば、上記第１〜第３実施形態では、暗号化された有線放送を復号化するためのＰＣカード３にＰＣカードスロット１０を介して電源を供給する例について示したが、本発明はこれに限られない。たとえば、暗号化された放送を復号化するためのＵＳＢメモリにＵＳＢインターフェースを介して電源を供給する場合に、本発明を適用してもよい。
【００９２】
また、上記第１〜第３実施形態では、ＰＣカード３に、第１ラインＡおよび第２ラインＢの２系統から電源が供給される例について示したが、本発明はこれに限られない。本発明では、ＰＣカードに電源が供給される系統は１ラインでもよいし、３ライン以上でもよい。
【００９３】
また、上記第１および第２実施形態では、第１供給電圧Ｖｃｃおよび第２供給電圧Ｖｐｐの少なくとも一方が異常電圧であると判断された場合に、第１供給電圧Ｖｃｃの電源および第２供給電圧Ｖｐｐの電源が遮断される例について示したが、本発明はこれに限られない。たとえば、第１供給電圧Ｖｃｃおよび第２供給電圧Ｖｐｐが共に異常電圧であると判断された場合に、第１供給電圧Ｖｃｃの電源および第２供給電圧Ｖｐｐの電源が遮断されるように構成してもよい。
【００９４】
また、上記第３実施形態では、非緊急異常電圧が下限電圧以上、かつ、正常電圧未満の電圧である例について示したが、本発明はこれに限られない。本発明では、非緊急異常電圧は正常電圧より大きく、かつ、所定の上限電圧以下の電圧であってもよい。
【００９５】
また、上記第１〜第３実施形態では、表示装置２の表示部２ａにＯＳＤ２ｂを表示させて、ＰＣカード３へ供給される電源の供給電圧の異常をユーザに通知する例について示したが、本発明はこれに限られない。たとえば、ＳＴＢに設けられたＬＥＤを点滅させることなどによって、ＰＣカードへ供給される電源の供給電圧の異常をユーザに通知してもよい。
【００９６】
また、上記第１〜第３実施形態では、主制御部１５のメインＣＰＵ１５ａがＳＴＢ１全体の動作制御を担う例について示したが、本発明はこれに限られない。本発明では、主制御部が必ずしもＳＴＢ全体の制御動作を担う必要はない。たとえば、主制御部とは別個に表示制御部を設けることによって、表示部にＯＳＤを表示させるための制御を、主制御部ではなく表示制御部に行わせるように構成してもよい。
【００９７】
また、上記第１〜第３実施形態では、説明の便宜上、主制御部１５のメインＣＰＵ１５ａの処理および補助制御部１７のサブＣＰＵ１７ａの処理を制御処理フローに沿って順番に処理を行うフロー駆動型のフローチャートを用いて説明したが、本発明はこれに限られない。本発明では、主制御部の処理および補助制御部の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００９８】
１  ＳＴＢ（放送受信装置、放送受信装置本体）
３  ＰＣカード（復号装置）
１０  ＰＣカードスロット（接続部）
１１  放送受信部
１５  主制御部
１７  補助制御部
１７ｂ  Ａ／Ｄポート（変換部）
【図１】
2014103537.tif 000003
【図２】
2014103537.tif 000004
【図３】
2014103537.tif 000005
【図４】
2014103537.tif 000006
【図５】
2014103537.tif 000007
【図６】
2014103537.tif 000008
【図７】
2014103537.tif 000009
【図８】
2014103537.tif 000010
【図９】
2014103537.tif 000011